【手続補正書】
【提出日】平成16年9月16日(2004.9.16)
【手続補正１】
【補正対象書類名】明細書
【補正対象項目名】特許請求の範囲
【補正方法】変更
【補正の内容】
【特許請求の範囲】
【請求項１】
次式Ｉ：
【化１】
1998095974.tif 000001
で表わされる化合物と、
次式ＩＩ：
【化２】
1998095974.tif 000002
で表わされる化合物
〔前記式Ｉ中、
Ｇ1は水素原子又は−ＯＧ基を表わし、
ｋは１又は２を表わし、そして
ｋ＝１の場合は、Ｅ1及びＥ2は、互いに独立して、次式Ｉａ又はＩｂ：
【化３】
1998095974.tif 000003
で表わされる基を表わし、そして
Ｇは水素原子又は炭素原子数１ないし１８のアルキル基；又は−ＯＨ基，炭素原子数１ないし１８のアルコシキ基，炭素原子数５ないし１２のシクロアルコキシ基，アリルオキシ基，ハロゲン原子，＝Ｏ基，−ＣＯＯＨ基，−ＣＯＯＧ8基，−ＣＯＮＨ2基，−ＣＯＮＨＧ9基，−ＣＯＮ（Ｇ9）（Ｇ10）基，−ＮＨ2基，−ＮＨＧ9基，＝ＮＧ9基，−Ｎ（Ｇ9）（Ｇ10）基，−ＮＨＣＯＧ11基，−ＣＮ基，−ＯＣＯＧ11基，フェノキシ基及び／又は炭素原子数１ないし８のアルキル基−，炭素原子数１ないし１８のアルコシキ基−若しくはハロ−置換フェノキシ基により置換された炭素原子数１ないし１８のアルキル基を表わし；或いは、Ｇは−Ｏ−基により中断され且つ−ＯＨ基により置換されてよい炭素原子数３ないし５０のアルキル基を表わし；或いは、Ｇは炭素原子数３ないし６のアルケニル基；グリシジル基；炭素原子数５ないし１２のシクロアルキル基；−ＯＨ基，炭素原子数１ないし４のアルキル基又は−ＯＣＯＧ11基により置換された炭素原子数５ないし１２のシクロアルキル基；非置換又は−ＯＨ基，塩素原子，炭素原子数１ないし１８のアルコキシ基又は炭素原子数１ないし１８のアルキル基により置換された炭素原子数７ないし１１のフェニルアルキル基；−ＣＯ−Ｇ12基又は−ＳＯ2−Ｇ13基を表わし、
Ｇ3，Ｇ4及びＧ5は、互いに独立して、水素原子、炭素原子数１ないし１２のアルキル基；炭素原子数２ないし６のアルケニル基；炭素原子数１ないし１８のアルコキシ基；炭素原子数５ないし１２のシクロアルコキシ基；炭素原子数２ないし１８のアルケノキシ基；ハロゲン原子；−ＣＮ基；炭素原子数１ないし４のハロアルキル基；炭素原子数７ないし１１のフェニルアルキル基；−ＣＯＯＧ8基；−ＣＯＮＨ2基；−ＣＯＮＨＧ9基；−ＣＯＮＧ9Ｇ10基；スルホ基；炭素原子数２ないし１８のアシルアミノ基；−ＯＣＯＧ11基；フェニルオキシ基；或いは、各々、炭素原子数１ないし１８のアルキル基，炭素原子数１ないし１８のアルコキシ基又はハロゲン原子で置換されたフェニルオキシ基，炭素原子数１ないし１２のアルキル基又は炭素原子数１ないし１８のアルコキシ基を表わし；そして、式Ｉ中の基Ｇ3の一つは更に−ＮＧ16Ｇ17基を表わし、
Ｇ6は式ＩＩ中のＲ1の下に定義された意味を表わし、
Ｇ8は炭素原子数１ないし１８のアルキル基；炭素原子数２ないし１８のアルケニル基；−Ｏ−基，−ＮＨ−基，−ＮＧ9基又は−Ｓ−基により中断された及び／又は−ＯＨ基により置換された炭素原子数３ないし５０のアルキル基；−Ｐ（Ｏ）（ＯＧ14）2基，−Ｎ（Ｇ9）（Ｇ10）基又は−ＯＣＯＧ11基及び／又は−ＯＨ基により置換された炭素原子数１ないし４のアルキル基；グリシジル基；炭素原子数５ないし１２のシクロアルキル基；炭素原子数１ないし４のアルキルシクロヘキシル基；フェニル基；炭素原子数７ないし１４のアルキルフェニル基；炭素原子数６ないし１５のビシクロアルキル基；炭素原子数６ないし１５のビシクロアルケニル基；炭素原子数６ないし１５のトリシクロアルキル基；炭素原子数６ないし１５のビシクロアルキルアルキル基；又は、炭素原子数７ないし１
１のフェニルアルキル基を表わし、
Ｇ9及びＧ10は、互いに独立して、炭素原子数１ないし１２のアルキル基；炭素原子数３ないし１２のアルコキシアルキル基；炭素原子数２ないし１８のアルカノイル基；炭素原子数４ないし１６のジアルキルアミノアルキル基又は炭素原子数５ないし１２のシクロアルキル基を表わし、或いは
Ｇ9及びＧ10は一緒になって、炭素原子数３ないし９のアルキレン基又は−オキサアルキレン基又は−アザアルキレン基を表わし、
Ｇ11は炭素原子数１ないし１８のアルキル基；炭素原子数１ないし１２のアルコキシ基；炭素原子数２ないし１８のアルケニル基；炭素原子数７ないし１１のフェニルアルキル基；炭素原子数７ないし１１のフェニルアルコキシ基；炭素原子数６ないし１２のシクロアルキル基；炭素原子数６ないし１２のシクロアルコキシ基；フェノキシ基又はフェニル基を表わし；又は、−Ｏ−基により中断され且つ−ＯＨ基により置換されてよい炭素原子数３ないし５０のアルキル基を表わし、
Ｇ12は炭素原子数１ないし１８のアルキル基；炭素原子数２ないし１８のアルケニル基；フェニル基；炭素原子数１ないし１８のアルコキシ基；炭素原子数３ないし１８のアルケニルオキシ基；−Ｏ−基，−ＮＨ−基，−ＮＧ9基又は−Ｓ−基により中断された及び／又は−ＯＨ基により置換された炭素原子数３ないし５０のアルコキシ基；シクロヘキシルオキシ基；フェノキシ基；炭素原子数７ないし１４のアルキルフェノキシ基；炭素原子数７ないし１１のフェニルアルコキシ基；炭素原子数１ないし１２のアルキルアミノ基；フェニルアミノ基；トリルアミノ基又はナフチルアミノ基を表わし、
Ｇ13は炭素原子数１ないし１２のアルキル基；フェニル基；ナフチル基又は炭素原子数７ないし１４のアルキルフェニル基を表わし、
Ｇ14は炭素原子数１ないし１２のアルキル基、メチルフェニル基又はフェニル基を表わし、
Ｇ16は水素原子又は炭素原子数１ないし２０のアルキル基を表わし、
Ｇ17は水素原子、炭素原子数１ないし２０のアルキル基、炭素原子数７ないし１３のフェニルアルキル基、−Ｃ（＝Ｏ）−Ｇ19基、−Ｃ（＝Ｏ）−ＮＨ−Ｇ16基を表わし、そして
Ｇ19は炭素原子数１ないし２０のアルキル基；１個ないし６個の酸素原子により中断された及び／又は−ＯＨ基，ハロゲン原子，−ＮＨ2基，−ＮＨＧ9基若しくは−ＮＧ9Ｇ10基により置換された炭素原子数２ないし２０のアルキル基；炭素原子数１ないし２０のアルコキシ基；フェニル基；炭素原子数７ないし１３のフェニルアルキル基又は炭素原子数２ないし２０のアルケニル基を表わし、そして、
ｋ＝２の場合は、
Ｅ1及びＥ2は式Ｉａで表わされる基を表わし、
Ｇは炭素原子数２ないし１６のアルキレン基、炭素原子数４ないし１２のアルケニレン基、キシリレン基、−Ｏ−基により中断された及び／又は−ＯＨ基により置換された炭素原子数３ないし２０のアルキレン基、又は次式：−ＣＨ2ＣＨ（ＯＨ）ＣＨ2Ｏ−Ｇ20−ＯＣＨ2ＣＨ（ＯＨ）ＣＨ2−基，−ＣＯ−Ｇ21−ＣＯ−基、−ＣＯ−ＮＨ−Ｇ22−ＮＨ−ＣＯ−基、−（ＣＨ2）j−ＣＯＯ−Ｇ23−ＯＯＣ−（ＣＨ2）j−で表わされる基を表わし、式中、ｊは１ないし３の範囲からの数を表わし、又は、次式：
【化４】
1998095974.tif 000004
で表わされる基を表わし、
Ｇ20は炭素原子数２ないし１０のアルキレン基；−Ｏ−基により中断された炭素原子数４ないし５０のアルキレン基、フェニレン基、又は、基−フェニレン−Ｅ−フェニレン（
式中、Ｅは−Ｏ−基，−Ｓ−基，−ＳＯ2−基，−ＣＨ2−基，−ＣＯ−基を表わす）、又は、−Ｃ（ＣＨ3）2−基を表わし、
Ｇ21は炭素原子数２ないし１０のアルキレン基、炭素原子数２ないし１０のオキサアルキレン基、炭素原子数２ないし１０のチアアルキレン基、炭素原子数６ないし１２のアリーレン基又は炭素原子数２ないし６のアルケニレン基を表わし、  Ｇ22は炭素原子数２ないし１０のアルキレン基、フェニレン基、トリレン基、ジフェニレンメタン基又は次式：
【化５】
1998095974.tif 000005
で表わされる基を表わし、
Ｇ23は炭素原子数２ないし１０のアルキレン基又は−Ｏ−基により中断された炭素原子数４ないし２０のアルキレン基を表わし、そして
残りの基は、ｋ＝１の場合に示された意味を表わし、そして
前記式ＩＩ中、
Ｒ1は水素原子；炭素原子数１ないし２４のアルキル基又は炭素原子数５ないし１２のシクロアルキル基を表わし；或いは、各々、１個から９個のハロゲン原子，−Ｒ4基，−ＯＲ5基，−Ｎ（Ｒ5）2基，＝ＮＲ5基，＝Ｏ基，−ＣＯＮ（Ｒ5）2基，−ＣＯＲ5基，−ＣＯＯＲ5基，−ＯＣＯＲ5基，−ＯＣＯＮ（Ｒ5）2基，−ＣＮ基，−ＮＯ2基，−ＳＲ5基，−ＳＯＲ5基，−ＳＯ2Ｒ5基，−Ｐ（Ｏ）（ＯＲ5）2基，モルホリニル基，ピペリジニル基，２，２，６，６−テトラメチルピペリジニル基，ピペラジニル基又はＮ−メチルピペラジニル基又はこれらの組合せにより置換された炭素原子数１ないし２４のアルキル基又は炭素原子数５ないし１２のシクロアルキル基を表わし；或いは、１個ないし６個のフェニレン基，−Ｏ−基，−ＮＲ5−基，−ＣＯＮＲ5−基，−ＣＯＯ−基，−ＯＣＯ−基，−ＣＨ（Ｒ5）−基，−Ｃ（Ｒ5）2−基又は−ＣＯ−基又はこれらの組合せにより中断された炭素原子数５ないし１２のシクロアルキル基又は炭素原子数１ないし２４のアルキル基；或いは、Ｒ1は炭素原子数２ないし２４のアルケニル基；ハロゲン原子；−ＳＲ3基，−ＳＯＲ3基；−ＳＯ2Ｒ3基；−ＳＯ3Ｈ基；又は−ＳＯ3Ｍ基を表わし、
Ｒ3は炭素原子数１ないし２０のアルキル基；炭素原子数３ないし１８のアルケニル基；炭素原子数５ないし１２のシクロアルキル基；炭素原子数７ないし１５のフェニルアルキル基；或いは、非置換又は１個ないし３個の炭素原子数１ないし４のアルキル基により置換された炭素原子数６ないし１２のアリール基を表わし、
Ｒ4は非置換の炭素原子数６ないし１２のアリール基を表わし；或いは、１個ないし３個のハロゲン原子，炭素原子数１ないし８のアルキル基又は炭素原子数１ないし８のアルコキシ基又はそれらの組合せにより置換された炭素原子数６ないし１２のアリール基；炭素原子数５ないし１２のシクロアルキル基；非置換の炭素原子数７ないし１５のフェニルアルキル基；或いは、１個ないし３個のハロゲン原子，炭素原子数１ないし８のアルキル基，炭素原子数１ないし８のアルコキシ基又はそれらの組合せによりによりフェニル環が置換された炭素原子数７ないし１５のフェニルアルキル基；或いは、炭素原子数２ないし８のアルケニル基を表わし、
Ｒ5はＲ4基；水素原子；炭素原子数１ないし２４のアルキル基；又は次式：
【化６】
1998095974.tif 000006
｛式中、
Ｔは水素原子；炭素原子数１ないし８のアルキル基；１個若しくはそれより多くのヒドロキシル基により又は１個若しくはそれより多くのアシルオキシ基により置換された炭素原子数２ないし８のアルキル基；オキシル基；ヒドロキシル基；−ＣＨ2ＣＮ基；炭素原子数１ないし１８のアルコキシ基；炭素原子数５ないし１２のシクロアルコキシ基；炭素原子数３ないし６のアルケニル基；炭素原子数７ないし９のフェニルアルキル基；炭素原子数１ないし４のアルキル基によりフェニル環が１回，２回又は３回置換された炭素原子数７ないし９のフェニルアルキル基を表わし；或いは、脂肪族の炭素原子数１ないし８のアルカノイル基を表わす｝で表わされる基を表わし、
Ｒ6ないしＲ15は、互いに独立して、水素原子；ヒドロキシル基；−ＣＮ基；炭素原子数１ないし２０のアルキル基；炭素原子数１ないし２０のアルコキシ基；炭素原子数７ないし２０のフェニルアルキル基；炭素原子数４ないし１２のシクロアルキル基；炭素原子数４ないし１２のシクロアルコキシ基；ハロゲン原子；ハロ−炭素原子数１ないし５のアルキル基；スルホニル基；カルボキシル基；アシルアミノ基；アシルオキシ基；炭素原子数１ないし１２のアルコキシカルボニル基；アミノカルボニル基；−Ｏ−Ｙ基；又は−Ｏ−Ｚ基を表わし；或いは、Ｒ8及びＲ9は、フェニル基と一緒になって、１個又はそれより多くの酸素原子又は窒素原子により中断された環式基を表わし；そしてＲ11は、ｑが０を表わす場合には、更に−ＮＧ16Ｇ17基（式中、Ｇ16及びＧ17は上記において定義されたものと同じ意味を表わす）の意味を含み、
Ｍはアルカリ金属を表わし、
ｐは１又は２を表わし、
ｑは０又は１を表わし、そして
ｐ＝１の場合は、
Ｘ，Ｙ及びＺは、互いに独立して、Ｒy基；Ｒx基により置換された炭素原子数１ないし２４のアルキル基；１個又はそれより多くの酸素原子により中断され且つ１個又はそれより多くの−ＯＨ基及び／又はＲx基により置換された炭素原子数２ないし５０のアルキル基；Ｒx基により置換された炭素原子数４ないし１２のシクロアルキル基；−ＯＲy基により置換された炭素原子数４ないし１２のシクロアルキル基；１個又はそれより多くの酸素原子により中断された炭素原子数４ないし２０のアルケニル基；或いは、次式：
【化７】
1998095974.tif 000007
で表わされる基のうちの一つを表わし、
Ｒ2及びＲ′2は、互いに独立して、炭素原子に結合している場合は、Ｒx基を表わし、そして、炭素以外の原子に結合している場合は、Ｒy基を表わし、
ｎは０ないし２０を表わし、そして
ｍは０ないし２０を表わし、そして
ｐ＝２の場合は、
Ｙ及びＺは、互いに独立して、ｐ＝１の場合における意味と同じ意味を表わし、そして
Ｘは炭素原子数２ないし１２のアルキレン基；−ＣＯ−（炭素原子数２ないし１２のアルキレン）−ＣＯ−基；−ＣＯ−フェニレン−ＣＯ−基；−ＣＯ−ビフェニレン−ＣＯ−基；−ＣＯ−Ｏ−（炭素原子数２ないし１２のアルキレン）−Ｏ−ＣＯ−基；−ＣＯ−Ｏ−フェニレン−Ｏ−ＣＯ−基；−ＣＯ−Ｏ−ビフェニレン−Ｏ−ＣＯ−基；−ＣＯ−ＮＲ′−（炭素原子数２ないし１２のアルキレン）−ＮＲ′−ＣＯ−基；−ＣＯ−ＮＲ′−フェニレン−ＮＲ′−ＣＯ−基；−ＣＯ−ＮＲ′−ビフェニレン−ＮＲ′−ＣＯ−基；−ＣＨ2−ＣＨ（ＯＨ）−ＣＨ2−基；−ＣＨ2−ＣＨ（ＯＲ2）−ＣＨ2−基；−ＣＨ2−ＣＨ（ＯＨ）−ＣＨ2−Ｏ−Ｄ−Ｏ−ＣＨ2−ＣＨ（ＯＨ）−ＣＨ2−基；−ＣＨ（（ＣＨ2）nＲ2）−ＣＯＯ−Ｄ−ＯＯＣ−ＣＨ（（ＣＨ2）nＲ2）−基；−ＣＨ2−ＣＨ（ＯＲ2）−ＣＨ2−Ｏ−Ｄ−Ｏ−ＣＨ2−ＣＨ（ＯＲ2）−ＣＨ2−基を表わし、
Ｄは炭素原子数２ないし１２のアルキレン基；１個又はそれより多くの酸素原子により中断された炭素原子数４ないし５０のアルキレン基；フェニレン基；ビフェニレン基又はフェニレン−Ｅ−フェニレンを表わし、
Ｅは−Ｏ−基；−Ｓ−基；−ＳＯ2−基；−ＣＨ2−基；−ＣＯ−基；又は−Ｃ（ＣＨ3）2−基を表わし、
Ｒxは水素原子；ヒドロキシル基；炭素原子数１ないし２０のアルキル基；炭素原子数４ないし１２のシクロアルキル基；炭素原子数１ないし２０のアルコキシ基；炭素原子数４ないし１２のシクロアルコキシ基；各々、１個又はそれより多くの酸素原子により中断された炭素原子数４ないし１２のシクロアルキル基又は炭素原子数４ないし１２のシクロアルキルオキシ基；炭素原子数６ないし１２のアリール基；ヘテロ−炭素原子数３ないし１２のアリール基；−ＯＲz基；−ＮＨＲz基；−Ｒz基；−ＣＯＮＲ′Ｒ″基；アリル基；炭素原子数２ないし２０のアルケニル基；炭素原子数４ないし１２のシクロアルケニル基；１個又はそれより多くの酸素原子により中断された炭素原子数４ないし１２のシクロアルケニル基；炭素原子数３ないし２０のアルキニル基；又は、炭素原子数６ないし１２のシクロアルキニル基；或いは、各々、ヒドロキシル基，−ＮＨ2基，−ＮＨ−炭素原子数１ないし８のアルキル基，−ＮＨ−シクロヘキシル基，−Ｎ（炭素原子数１ないし８のアルキル）2基，ジシクロヘキシルアミノ基，ハロゲン原子，炭素原子数１ないし２０のアルキル基，炭素原子数１ないし２０のアルコキシ基，炭素原子数４ないし１２のシクロアルキル基，炭素原子数４ないし１２のシクロアルコキシ基，炭素原子数２ないし２０のアルケニル基，炭素原子数４ないし１２のシクロアルキル基，炭素原子数３ないし２０のアルキニル基，炭素原子数６ないし１２のシクロアルキニル基，炭素原子数６ないし１２のアリール基，アシルアミノ基，アシルオキシ基，スルホニル基，カルボキシル基，（メタ）アクリルオキシ基，（メタ）アクリルアミノ基，次式：
【化８】
1998095974.tif 000008
で表わされる基により置換された炭素原子数１ないし２０のアルキル基、炭素原子数２ないし２０のアルコキシ基又は炭素原子数４ないし１２のシクロアルキル基を表わし、
Ｒyは水素原子；炭素原子数１ないし２０のアルキル基；炭素原子数４ないし１２のシクロアルキル基；１個又はそれより多くの酸素原子により中断された炭素原子数４ないし１２のシクロアルキル基；炭素原子数６ないし１２のアリール基；ヘテロ−炭素原子数３ないし１２のアリール基；−Ｒz基；アリル基；炭素原子数２ないし２０のアルケニル基；中断されていないか、１個又はそれより多くの酸素原子により中断された炭素原子数４ないし１２のシクロアルケニル基；炭素原子数３ないし２０のアルキニル基；又は、炭素原子数６ないし１２のシクロアルキニル基；或いは、各々、ヒドロキシル基，−ＮＨ2基，−ＮＨ−炭素原子数１ないし８のアルキル基，−ＮＨ−シクロヘキシル基，−Ｎ（炭素
原子数１ないし８のアルキル）2基，ジシクロヘキシルアミノ基，ハロゲン原子，炭素原子数１ないし２０のアルキル基，炭素原子数１ないし２０のアルコキシ基，炭素原子数４ないし１２のシクロアルキル基，炭素原子数４ないし１２のシクロアルコキシ基，炭素原子数２ないし２０のアルケニル基，炭素原子数４ないし１２のシクロアルキル基，炭素原子数３ないし２０のアルキニル基，炭素原子数６ないし１２のシクロアルキニル基，炭素原子数６ないし１２のアリール基，アシルアミノ基，アシルオキシ基，スルホニル基，カルボキシル基，（メタ）アクリルオキシ基，（メタ）アクリルアミノ基，次式：
【化９】
1998095974.tif 000009
で表わされる基により置換された炭素原子数１ないし２０のアルキル基又は炭素原子数４ないし１２のシクロアルキル基を表わし、
Ｒzは−ＣＯＲ′基；−ＣＯＯＲ′基；−ＣＯＮＲ′Ｒ″基；−ＣＯ−ＣＨ＝ＣＨ2基；−ＣＯ−Ｃ（ＣＨ3）＝ＣＨ2基を表わし、
Ｒ′及びＲ″は、互いに独立して、水素原子；炭素原子数１ないし２０のアルキル基；１個又はそれより多くの酸素原子により中断された炭素原子数４ないし５０のアルキル基；炭素原子数４ないし１２のシクロアルキル基；１個又はそれより多くの酸素原子により中断された炭素原子数４ないし１２のシクロアルキル基；炭素原子数２ないし２０のアルケニル基；１個又はそれより多くの酸素原子により中断された炭素原子数２ないし２０のアルケニル基を表わし；又は、炭素原子数６ないし１２のアリール基を表わし；或いは、各々、ヒドロキシル基，−ＮＨ2基，−ＮＨ−炭素原子数１ないし８のアルキル基，−ＮＨ−シクロヘキシル基，−Ｎ（炭素原子数１ないし８のアルキル）2基，ジシクロヘキシルアミノ基，ハロゲン原子，炭素原子数１ないし２０のアルキル基，炭素原子数１ないし２０のアルコキシ基，炭素原子数４ないし１２のシクロアルキル基，炭素原子数４ないし１２のシクロアルコキシ基，炭素原子数２ないし２０のアルケニル基，炭素原子数４ないし１２のシクロアルキル基，炭素原子数３ないし２０のアルキニル基，炭素原子数６ないし１２のシクロアルキニル基，炭素原子数６ないし１２のアリール基，アシルアミノ基，アシルオキシ基，スルホニル基，カルボキシル基，（メタ）アクリルオキシ基，（メタ）アクリルアミノ基，次式：
【化１０】
1998095974.tif 000010
で表わされる基により置換された炭素原子数１ないし２０のアルキル基又は炭素原子数４ないし１２のシクロアルキル基を表わす〕とからなる混合物。
【請求項２】
Ａ）光，酸素及び／又は熱により損傷を受け易い有機材料と、
Ｂ）安定剤としての、請求項１記載の式Ｉで表わされる化合物と請求項１記載の式ＩＩで表わされる化合物とからなる混合物
とからなる組成物。
【請求項３】
前記成分Ａ及びＢに加えて、１種又はそれより多くの他の安定剤又は何れかの他の添加剤を含む請求項２記載の組成物。
【請求項４】
前記他の安定剤又は他の添加剤が、酸化防止剤、更なる紫外線吸収剤、光安定剤、金属奪
活剤、ホスフィット、ホスホナイト、ヒドロキシルアミン、ニトロン、チオ相乗剤、過酸化物掃去剤、ポリアミド安定剤、塩基性補助安定剤、核剤、充填剤及び強化剤、可塑剤、潤滑剤、乳化剤、顔料、レオロジー添加剤、触媒、流れ調整剤、蛍光増白剤、防炎加工剤、帯電防止剤、発泡剤、ベンゾフラノン及びインドリノンから選択される請求項３記載の組成物。
【請求項５】
前記成分Ａとして、塗料のための結合剤を含み、且つ別の成分として、立体障害アミン及び／又は２−ヒドロキシフェニル−２Ｈ−ベンゾトリアゾール型の光安定剤からなる群から選択された１種又はそれより多く安定剤を含む請求項２記載の組成物。
【請求項６】
有機材料に、安定剤として、請求項１記載の式Ｉで表わされる化合物と請求項１記載の式ＩＩで表わされる化合物とからなる請求項１記載の混合物を添加することからなる、光，酸素及び／又は熱による損傷に対する有機材料の安定化方法。
【請求項７】
光，酸素及び／又は熱による損傷に対して有機材料を安定化するための、請求項１記載の式Ｉで表わされる化合物と請求項１記載の式ＩＩで表わされる化合物とからなる請求項１記載の混合物の使用。